(57)【要約】【課題】  貯湯シートに貯湯する型の簡易浴槽において、排水効率を向上させる。【解決手段】  板状または棒状の支持部を周方向に複数連結した状態の簡易浴槽枠１０を筒状に組み立て、これに簡易浴槽用シートを取り付けることによって簡易浴槽を構成する。簡易浴槽枠１０には、連結部に排水用のスリット１８を形成する。簡易浴槽用シートに湯水を蓄えて簡易浴槽として使用した後は、簡易浴槽用シートを徐々に押し下げる。こうすることによって、排水用のスリット１８から効率的に排水を行うことが可能となる。【選択図】  図３
2014018242.tif 000002
【特許請求の範囲】
【請求項１】
貯湯シートを内部に取り付けることによって簡易浴槽を構成する簡易浴槽枠であって、
板状または棒状の支持部と、
周方向に複数配置された該支持部を連結する連結部とを有し、
前記連結部には、排水用の開口部が形成されている
簡易浴槽枠。
【請求項２】
請求項１記載の簡易浴槽枠であって、
前記開口部は、異なる高さに複数設けられている
簡易浴槽枠。
【請求項３】
請求項１または２記載の簡易浴槽枠であって、
前記支持部は、筒状に巻き床面に自立させ得る程度に、高さ方向よりも幅狭の形状をなしている
簡易浴槽枠。
【請求項４】
請求項１〜３いずれか記載の簡易浴槽枠であって、
前記支持部は、前記連結部に対し、外側に凸の形状をなしている
簡易浴槽枠。
【請求項５】
請求項１〜４いずれか記載の簡易浴槽枠であって、
前記開口部は、周方向に９０度以下の角度間隔で形成されている
簡易浴槽枠。
【請求項６】
請求項１〜５いずれか記載の簡易浴槽枠であって、
前記連結部は布状であり、
前記開口部は、上下方向の切り込みと、該切り込みの両端に形成された略円形孔を有する
簡易浴槽枠。
【請求項７】
請求項１〜６いずれか記載の簡易浴槽枠であって、
前記開口部は、それぞれ、他の高さに設けられた開口部と一部重複した高さに位置するよう形成されている
簡易浴槽枠。
【請求項８】
簡易浴槽であって、
請求項１〜７いずれか記載の簡易浴槽枠と、
該簡易浴槽枠内に取り付けられる防水素材で形成された貯湯シートとを有する
簡易浴槽。
【発明の詳細な説明】
【技術分野】
【０００１】
本発明は、貯湯シートに貯湯する型の簡易浴槽に関する。
【背景技術】
【０００２】
従来、浴槽枠に、貯湯シートを取り付けた種々の簡易浴槽が知られている。特許文献１は、かかる簡易浴槽として、簀巻き状にして円筒形を作り床面上に自立する板状の浴槽枠の内側に、貯湯シートを取り付けた構造を開示している。この簡易浴槽では、入浴時には貯湯シート内に貯湯して使用する。入浴後の排水については、まず手桶等で排水した上で、十分に湯量が減ったところで貯湯シートを浴槽枠内に押し下げる方法がとられる。
【先行技術文献】
【特許文献】
【０００３】
【特許文献１】特許第４３３００３２号公報
【発明の概要】
【発明が解決しようとする課題】
【０００４】
従来技術における排水方法では、排水効率が低いという課題があった。
かかる課題を解決するために貯湯シートに排水口を設けることも考えられるが、貯湯シートのコストが増大するという別の課題を招く。また、貯湯シートに排水口を設けた場合、排出された水が、貯湯シートと浴槽枠との間に貯まってしまうという課題が生じるおそれもある。
本発明は、かかる課題に鑑み、貯湯シートに貯湯する型の簡易浴槽において、排水効率を向上させることを目的とする。
【課題を解決するための手段】
【０００５】
本発明は、
貯湯シートを内部に取り付けることによって簡易浴槽を構成する簡易浴槽枠であって、
板状または棒状の支持部と、
周方向に複数配置された該支持部を連結する連結部とを有し、
前記連結部には、排水用の開口部が形成されている
簡易浴槽枠として構成することができる。
本発明によれば、連結部に排水用の開口部が設けられているため、簡易浴槽枠に取り付けた貯湯シートを押し下げること等によって、容易に簡易浴槽枠外に排水を行うことが可能となる。
【０００６】
排水用の開口部とは、このように排水に足る流量を確保できるだけの開口部という意味である。形状は問わず、排水専用の開口部である必要もない。
簡易浴槽枠は、支持部と連結部とを有している。折りたたみ可否は問わない。折りたたみ可能な簡易浴槽枠の場合、周方向とは、組み立てた状態での周方向を意味する。
簡易浴槽枠の構造としては、例えば、棒状の支持部をベルト状の連結部で連結させた構造とすることができる。このとき、支持部の間隔を十分に広げた状態で連結させれば、この間隔が自ずと開口部を形成することになる。
また、別の構造として、樹脂製などのシートに、上下方向の袋状の部位を複数並列に設け、この袋状の部位に棒状の支持部を挿入した構造としてもよい。この場合は、樹脂製のシートのうち、袋状の部位の間の部分が連結部となる。この連結部に、排水に足るだけの切り込み、孔等を設けることにより、開口部を形成すればよい。樹脂製のシートとする場合、単一素材からなるものとしてもよいし、ターポリンのように樹脂製繊維からなる布を、他の合成樹脂でコーティングした素材としてもよい。樹脂以外の素材を用いても良い。
簡易浴槽枠の支持部と連結部とは、必ずしも２つの部材から構成される必要はなく、両者を一体的に形成したものであってもよい。
簡易浴槽枠は、例えば、４枚の板状の支持部を有する矩形状のものであってもよい。また、簡易浴槽枠は、組み立て可能なものには限定されない。
【０００７】
本発明の簡易浴槽枠においては、
前記開口部は、異なる高さに複数設けられているものとしてもよい。
仮に、開口部が一定の高さにのみ設けられている場合には、開口部の位置まで貯湯シートを押し下げないと排水を開始できず、開口部よりも低い水位では排水できないという点で、排水性に制約が生じる。また、こうした制約を緩和するために、上下方向に大きな寸法の開口部を設ければ、連結部の強度が低下するおそれがある。
これに対し、上記態様のように、異なる高さに複数の開口部を設けておけば、連結部の強度を低下することを回避しながら、排水性に関する上述の制約を緩和することが可能となる。
【０００８】
また、本発明の簡易浴槽枠においては、
前記支持部は、筒状に巻き床面に自立させ得る程度に、高さ方向よりも幅狭の形状をなしているものとしてもよい。
先に説明した棒状の支持部をベルトや樹脂製のシート等で連結する態様が含まれる。このように筒状に巻ける構造とすれば、簡易浴槽枠の大きさ、形状を自在に変化させることができる利点がある。また、筒状に巻くことが可能であるため、使用しないときにコンパクトに収納できる利点もある。
上記態様において、簡易浴槽枠自体に全面または部分的な床面をつけるか否かは問わない。
【０００９】
本発明の簡易浴槽枠においては、
前記支持部は、前記連結部に対し、外側に凸の形状をなしているものとしてもよい。
かかる態様によれば、連結部、ひいては排水用の開口部は、支持部に対して谷の位置に形成されることになる。この結果、簡易浴槽枠が、浴室の壁面などに沿う状態で設置されている場合でも、支持部が外側に凸となっている分だけ、開口部と壁面との間には空隙が確保されることになる。従って、開口部が壁面で塞がれることなく、排水効率を確保することができる。
上記態様は、支持部が外側に凸になっていればよく、内側は、連結部に対して平坦、即ち同一面となっていてもよいし、内側にも凸となっていてもよい。
【００１０】
本発明の簡易浴槽枠においては、
前記開口部は、周方向に９０度以下の角度間隔で形成されているものとしてもよい。
本発明は、貯湯シートを押し下げることによって開口部から排水を行うものである。上記態様のように、９０度以下の角度間隔で設けておけば、簡易浴槽枠の周囲いずれの位置からでも、排水を開始しやすくなる利点がある。
【００１１】
本発明の簡易浴槽枠においては、
前記連結部は布状であり、
前記開口部は、上下方向の切り込みと、該切り込みの両端に形成された略円形孔を有するものとしてもよい。
先に説明した樹脂製シート等によって連結部を構成する態様が含まれる。このように布状の連結部を用いる場合、上下方向の切り込みを形成するだけでなく、両端に略円形孔を形成することによって、両端が応力集中によって裂けることを緩和できる利点がある。両端の孔は、応力集中を緩和できる形状であればよく、楕円形などとしてもよい。切り込みおよび孔の寸法は、任意に設定可能である。
【００１２】
本発明の簡易浴槽枠においては、
前記開口部は、それぞれ、他の高さに設けられた開口部と一部重複した高さに位置するよう形成されているようにしてもよい。
つまり、複数の高さに開口部を設ける態様の一例として、異なる高さに設けられた開口部同士が高さ方向に一部重複する態様である。
簡易浴槽内の水位が下がるにつれて、開口部のうち排水に活用される有効面積は低下する。水位が高いうちは、開口部全体から排水されるのに対し、例えば、開口部の中間まで水位が下がると、開口部の下半分からしか排水されなくなるからである。従って、高さ位置の異なる開口部を設けた上で、貯湯シートを徐々に押し下げながら排水することを考えた場合、仮に開口部同士が高さ方向に重複していないとすると、水位が下がるにつれて、高い側の開口部からの排水効率が低下した後、低い側の開口部からの排水が開始されるようになり、排水効率が変動することになる。これに対し、上述の態様のように、一部を高さ方向に重複させて開口部を形成しておけば、高い側の開口部の排水効率が低下し始めると、次の高さの開口部からの排水が開始されるようになり、排水効率の変動を抑制することができる利点がある。
【００１３】
本発明は、簡易浴槽枠としての態様に限らず、種々の態様で構成することができる。
例えば、上述したいずれかの簡易浴槽枠と、
該簡易浴槽枠内に取り付けられる防水素材で形成された貯湯シートとを有する
簡易浴槽として構成することもできる。
貯湯シートは、平坦なシートを用いてもよいし、袋または上側と一方の側辺が開口した状態の半袋としてもよい。
【００１４】
本発明は、必ずしも上述の全ての特徴を備えている必要は無く、適宜、一部を省略したり、組み合わせたりして構成してもよい。本発明は、簡易浴槽枠、簡易浴槽としての態様の他、これらの製造方法として構成することもできる。
【図面の簡単な説明】
【００１５】
【図１】簡易浴槽の斜視図である。
【図２】簡易浴槽枠の展開形状を示す説明図である。
【図３】簡易浴槽枠の形状を示す斜視図である。
【図４】排水スリットの作用を示す説明図である。
【図５】実施例２としての簡易浴槽枠の形状を示す斜視図である。
【図６】実施例３としての簡易浴槽枠の形状を示す斜視図である。
【発明を実施するための形態】
【実施例１】
【００１６】
実施例としての簡易浴槽および簡易浴槽枠について説明する。実施例の簡易浴槽は、簡易浴槽枠を床面に自立させ、これに簡易浴槽用シートを取り付けることによって形成される。
図１は実施例の簡易浴槽の斜視図である。図１（ａ）には、簡易浴槽の組み立て過程を示した。実施例の簡易浴槽は、図示するように、床面にＵ字状に自立させた簡易浴槽枠１０の上端に、簡易浴槽用シート５０の端を被せるように取り付ける。ここでは、簡易浴槽用シート５０として平坦な矩形または円形の樹脂製シートを用いているが、袋状、または袋の一側辺が開いた半袋状としてもよい。
簡易浴槽用シート５０は、その上端が簡易浴槽枠１０から十分な長さで折り返すことができる寸法とすることが好ましい。簡易浴槽用シート５０を、簡易浴槽枠１０にクリップ等で留めるようにしてもよい。
簡易浴槽用シート５０は、簡易浴槽枠１０に取り付けられて簡易浴槽の湯水を貯蔵する役割を果たすものであるため、防水性を有する素材で形成されている。かかる素材としては、樹脂を用いることができ、例えば、ポリエチレン、特に耐ピンホール性、耐水性に優れるＬ−ＬＤＰＥ（リニアポリエチレンまたは直鎖状低密度ポリエチレンと称されることもある）が好ましい。簡易浴槽用シート５０には、その他、塩化ビニルや、ポリプロピレンなどの素材を用いてもよい。
【００１７】
簡易浴槽枠１０の開口部分は、簡易浴槽を利用する要介護者Ｐの入り口となり、シャワーキャリーなど浴用の車イスに要介護者Ｐを座らせた状態で簡易浴槽内に搬入することができる。
このように要介護者Ｐを簡易浴槽内に搬入した後、入り口側で床面に広がっている簡易浴槽用シート５０を簡易浴槽枠１０の上端まで持ち上げながら、簡易浴槽枠１０を筒状に巻く。そして、簡易浴槽枠１０の両端を重ねて開口部を閉じた後、ベルト４１〜４３を留めることによって、簡易浴槽を組み立てる。
図１（ｂ）は、組み立て状態の簡易浴槽の斜視図である。要介護者Ｐの図示は省略した。図示する通り、簡易浴槽は、筒状の簡易浴槽枠１０をベルト４１〜４３で保持し、簡易浴槽用シート５０を被せた状態の構造となっている。簡易浴槽枠１０の両端の重ねしろを調整することにより、簡易浴槽の径を容易に調整できる利点がある。ここでは、略円筒形に形成した例を示したが、簡易浴槽枠１０は可撓性の板状部材であるから、円筒形以外に、簡易浴槽を設置する場所に応じて自在な形状とすることができる。
【００１８】
図２は、簡易浴槽枠１０の展開形状を示す説明図である。実施例の簡易浴槽枠１０は、複数の枠ユニット１１を接続することで構成されている。
枠ユニット１１の本体は、矩形状のターポリン製の布を表裏２枚溶着して形成されている。図中のハッチングを付した部分が溶着部分であり、それぞれ下溶着部１５、上溶着部１４、連結部１２と称するものとする。白抜きの部分は、袋部１３となっている。本実施例では、枠ユニット１１には、７箇所の袋部１３が設けられているが、袋部１３の本数は任意に設定可能である。
本体の材質は、ターポリンには限られないが、防水性を有するとともに、容易に破損せず、非伸縮性の材質が好ましい。
枠ユニット１１の袋部１３には、右上に示した支柱３０がそれぞれ挿入される。支柱３０は、半径Ｒの半円形の中空断面を有する棒状の樹脂製部材である。下溶着部１５、連結部１２を溶着して形成された袋部１３に支柱３０を挿入した後、上溶着部１４を溶着することによって、支柱３０は袋部１３に封入されている。従って、支柱３０の上下に蓋を設けなくても、湯水が浸入するおそれはない。
支柱３０は、平坦な面が浴槽の内側、円弧面が外側になるように挿入される。図２において、図の表面が浴槽の外側、裏面が内側とすると、支柱３０は、平坦な面が図の裏側に来るように、それぞれの袋部１３に挿入されるのである。こうすることによって、浴槽の内側面が凹凸のない円筒状となるため、快適に入浴できる利点がある。支柱３０の外側が円弧面となっていることによる利点については、後述する。
支柱３０の形状は、一例に過ぎず、中空である必要はない。また、半円断面とする必要もなく、円、楕円など簡易浴槽を使用する際の水圧に耐えうる種々の断面形状をとることができる。
上述の構造によって、枠ユニット１１は、支柱３０を７本並べて連結部１２で連結した状態となっている。簡易浴槽枠１０は、この枠ユニット１１を５個接続することによって形成する。ただし、枠ユニット１１の数は、５つに限定されるものではない。かかる構造とすることにより、簡易浴槽枠１０に可撓性を持たせることができ、図１に示したように円筒状の簡易浴槽を容易に形成することができる。また、すだれのように巻いてコンパクトに収納することも可能となる。
【００１９】
枠ユニット１１の連結部１２には、排水用のスリット１８が、高さ方向に３段ずつ形成されている。領域Ａの拡大図を左上に示した。スリット１８は、切り込み１８ｓと、その両端に形成された円形孔１８ｃで形作られている。
切り込み１８ｓの長さＬ１、円形孔１８ｃの直径ｄは、任意に設定可能である。切り込み１８ｓの長さＬ１が短い場合には、排水効果を十分に得られなくなる。長さＬ１が長い場合には、使用時に水圧によって簡易浴槽用シート５０がスリット１８からはみ出してしまい、外観を損ねるとともに、簡易浴槽用シート５０の破損を招くおそれがある。長さＬ１は、こうした要素を考慮しながら、設定すればよく、例えば、５０〜６０ｍｍとすることができる。円形孔１８ｃは、切り込み１８ｓの両端が、応力集中によって裂けることを抑制する機能を奏する。円形孔１８ｃの直径ｄは、応力集中の緩和機能を奏する範囲で、長さＬ１とのバランスを考慮して、設定すればよく、例えば、１０ｍｍとすることができる。
【００２０】
隣接する連結部１２のスリット１８は、高さ方向の位置を少しずつ変えながら、階段状に形成されている。本実施例では、左上の図に示すように、スリット１８の高さ位置の変化量Ｌ２は、切り込み１８ｓの長さＬ１のほぼ２分の１とした。つまり、隣接するスリット１８は、高さ方向にほぼ半分ずつ重複した状態で形成されていることになる。このように一部を重複して形成することによる効果については、後述する。
【００２１】
枠ユニット１１の端には、ベルト４１〜４３を通すためのベルト通し１９ａ〜１９ｃが形成されている。ベルト通し１９ａ〜１９ｃは、ターポリンによって本体と一体化して形成するようにしたが、別の素材を縫製するなどの方法によってもよい。本実施例では、ベルト通し１９ａ〜１９ｃは、高さ方向に均等に形成するのではなく、下側の方に偏って形成してある。簡易浴槽の使用時の水圧は下側の方が大きく、これに耐えうる強度を確保するためである。
【００２２】
枠ユニット１１の下側には、複数のフラップ１６が設けられている。フラップ１６は、ターポリンによって本体と一体化して形成しているが、本体とは別に作成されたフラップを縫製するなどの方法によってもよい。フラップ１６の枚数は任意に設定可能であるが、本実施例では、７本の支柱３０を封入している各袋部１３に対応して７枚のフラップ１６を設けた。こうすることにより、フラップ１６が簡易浴槽枠１０を巻く際の支障とならず、簡易浴槽枠１０を収納、組み立てしやすくなる利点がある。
フラップ１６は、枠ユニット１１の横幅に相当する長さの一枚の帯としてもよいが、本実施例のように複数枚に分断した状態で形成することが好ましい。こうすることによって、簡易浴槽枠１０を円筒状に組み立てた際、フラップ１６が襞状に歪むことを回避できる。
各フラップ１６の下端には、それぞれ孔１７が設けられており、この孔１７を利用して、簡易浴槽枠１０の全フラップ１６に対して紐３５が通してある。紐３５は、伸縮性の低い素材を選択した。紐３５は、両端の結び目３５Ｋによってフラップ１６から抜けないように留められている。こうすることで、紐３５は、フラップ１６の下端側の広がりを規制する規制部として機能する。
結び目３５Ｋ間の距離は、フラップ１６の下端側の両端の長さＬ３（以下、この距離を「規制長」と言うこともある）が、フラップ１６の取付側の両端の長さ、即ち簡易浴槽枠１０の横方向の長さ（以下、「横幅」と言う）よりも短くなるように設定されている。図２では、図示の都合上、各フラップ１６を平面状に示したが、実際には、規制長が横幅よりも短くされていることにより、フラップ１６は立体的にたわんだ状態となる。紐３５の効果については、図３で説明する。
【００２３】
図３は、簡易浴槽枠１０の形状を示す斜視図である。図３（ａ）は、組み立て過程の簡易浴槽枠１０を示した。簡易浴槽枠１０は、５つの枠ユニット１１ａ〜１１ｅを接続することで構成されている。枠ユニットの数は、５つに限定されるものではない。
図２で説明した通り、紐３５の規制長を横幅よりも短くしていることによって、簡易浴槽枠１０を円筒上に立てると、フラップ１６は、自然にその内側を向き、図３に示した状態となる。内側を向いたフラップ１６は、その状態で、簡易浴槽枠１０を支持するため、簡易浴槽枠１０が自立でき、組み立て作業が容易になる利点がある。
【００２４】
結び目３５Ｋ間の距離、ひいては規制長は、横幅に応じて最適な値が存在する。規制長が短いと、簡易浴槽枠１０が不必要に変形し、円筒形を形成しずらくなることがある。逆に規制長が長いと、簡易浴槽枠１０の形状を円筒形に規制する作用が低下し、簡易浴槽枠１０の自立性が低下することがある。規制長は、こうした両面を考慮しながら、簡易浴槽枠１０のサイズに応じて、実験等により最適値に決めることが望ましい。
紐３５は、種々の素材、太さのものを適用可能である。簡易浴槽枠１０を自立させたときのフラップ１６の状態を規制する作用を得る観点からは、紐３５はフラップ１６に対して自由度が抑制されていることが好ましい。この意味で、フラップ１６に形成された孔１７に対して、あそびが少ない太めの紐を用いることが好ましい。一方、紐３５が太すぎると、紐３５が孔１７にひっかかり簡易浴槽枠１０の展開に支障が生じることがあるため、紐３５の太さは孔１７を円滑に滑り得る程度に抑えておくことが好ましい。
紐３５の素材も種々の選択が可能であり、フラップ１６を規制する作用を奏し、孔１７を円滑に滑る素材として、例えば、ＰＥ（ポリエチレン）製を採用することができる。
紐３５のフラップ１６に対する自由度を抑制するという観点から、紐３５を、簡易浴槽枠１０の両端のフラップ１６だけでなく、中央付近のフラップ１６に縛り付けて固定してもよい。簡易浴槽枠１０のサイズによっては、さらに多くの箇所でフラップ１６に固定してもよい。
孔１７もフラップ１６の種々の位置に形成することが可能であるが、フラップ１６を規制する作用という観点からは、孔１７を下端付近に設けることが好ましい。
【００２５】
簡易浴槽枠１０の内側には、水位テープ２０、２１が貼付してある。水位テープ２０は、簡易浴槽の上限水位を示すものであり、水位テープ２１はベルト解放水位、即ち簡易浴槽の使用後にベルト４１、４２、４３を解放してもよい水位を示している。簡易浴槽の使用後、ベルト４１、４２、４３を解放するためには、排水が進み、簡易浴槽枠１０にかかる水圧が十分低下してからにすることが望ましい。ベルト解放水位とは、かかる観点から、ベルト４１、４２、４３を解放するのに適した水位の上限を表すものである。
【００２６】
簡易浴槽の使用中におけるフラップ１６の作用効果について、図３（ｂ）に示した。図３（ｂ）は、フラップ１６と簡易浴槽枠１０との接合部（図１の領域Ｂ参照）の断面図である。
図３（ｂ）の左側には、フラップ１６が備えられていない状態を示した。簡易浴槽枠１０に取り付けた簡易浴槽用シート５０に貯湯すると、図示するように、水圧によって、簡易浴槽枠１０の下側から、簡易浴槽用シート５０がはみ出すことがある。
これに対し、図３（ｂ）の右側に示すように、フラップ１６が備えられている場合には、フラップ１６が簡易浴槽用シート５０の下敷きとなり、フラップ１６に水圧がかかる。フラップ１６と簡易浴槽枠１０の間に隙間はないため、簡易浴槽用シート５０が簡易浴槽枠１０の下側からはみ出すことはなく、フラップ１６にかかる水圧で、簡易浴槽枠１０を安定的に支持することができる。
【００２７】
図２で説明した通り、簡易浴槽枠１０に挿入されている支柱３０は、外側に凸の半円断面をなしている。かかる形状による効果を図３（ｃ）に示した。図３（ｃ）は、簡易浴槽枠１０の一部（図３（ａ）の領域Ｃ）の拡大断面図である。
簡易浴槽枠１０が壁面に接するように設置されている場合、支柱３０が外側に凸の形状をなしているため、図３（ｃ）に示すように、スリット１８が設けられた連結部には、支柱３０の半径Ｒに相当する分だけの空隙ができる。この結果、スリット１８が壁面に密着することを回避できるため、壁面で阻害されずにスリット１８からの排水を行うことができる。実施例では、支柱３０の断面を半円形としたが、外側に凸の形状であれば、半円形に限らず、同様の効果を得ることができる。
【００２８】
図４は、排水用のスリット１８の作用を示す説明図である。ここでは、水位とスリット１８との関係を説明するため、模式的に簡易浴槽枠１０の一部を展開した状態で示した。
図２で説明した通り、スリット１８は、高さ方向の位置を変えて階段状に設けられている。図４では、こうしたスリットの一部として、スリット１８［１］〜１８［１０］を例示した。この状態で、簡易浴槽用シート５０を徐々に押し下げて排水を行う場合を考える。
図４（ａ）に示すように、まず矢印Ｄａのようにハッチングを付した位置まで、簡易浴槽用シート５０を押し下げたとする。この状態では、スリット１８［１］、１８［７］のうち、枠Ｅａで囲んだ部分からの排水が行われる。
図４（ａ）の位置まで水位が下がった後、図４（ｂ）の矢印Ｄｂのように簡易浴槽用シート５０を押し下げたとする。図中の破線は、図４（ａ）の排水が完了した状態の水位を表している。この水位では、図４（ａ）の枠Ｅａの部分は、排水口として機能しなくなっているが、図４（ｂ）の状態では、この破線よりも低い部分、即ち、スリット１８［１］、１８［２］、１８［７］、１８［８］のうち、枠Ｅｂで囲んだ部分からの排水が行われる。このように、簡易浴槽枠１０のスリット１８は、一部重複しながら、高さ方向の位置を階段状に変化させているため、一部のスリット１８［１］、１８［７］について枠Ｅａのように排水機能を奏しなくなる部分が生じても、それを補うように他のスリット１８［２］、１８［８］が排水機能を奏するようになり、全体として排水効率の極端な低下を抑制することができる。
さらに、図４（ｂ）の位置まで水位が下がった後、図４（ｃ）の矢印Ｄｃに示すように簡易浴槽用シート５０を押し下げたとする。この状態では、図中の破線は、図４（ｂ）の排水が完了した状態の水位を表している。この水位では、図４（ｂ）の枠Ｅｂの部分は、排水口として機能しなくなっているが、図４（ｃ）の状態では、この破線よりも低い部分、即ち、スリット１８［２］、１８［３］、１８［８］、１８［９］のうち、枠Ｅｃで囲んだ部分からの排水が行われる。この場合も、スリット１８［１］、１８［７］、およびスリット１８［２］、１８［８］の枠Ｅｂの部分が排水機能を奏しなくなっても、それを他のスリット１８［３］、１８［９］で補うことができる。
【実施例２】
【００２９】
図５は、実施例２としての簡易浴槽枠１０Ａの形状を示す斜視図である。実施例２の簡易浴槽枠１０Ａは、実施例１におけるフリル状のフラップ１６に代えて、寸法の長い帯状のフラップ１６Ａ、１６Ｂ、１６Ｃを備えている。その他の構造は、実施例１と同様である。
フラップ１６Ａ等は、簡易浴槽枠１０Ａの下端からではなく、内側のやや上方に溶着されている。その長さは、簡易浴槽を組み立てた状態での直径以上としてある。こうすることにより、簡易浴槽の使用中、実施例１に比較して、より確実にフラップ１６Ａ等が簡易浴槽用シート５０の下敷きになるため、簡易浴槽枠１０Ａが安定する利点がある。また、フラップ１６Ａは、簡易浴槽枠１０Ａ内側のやや上方に溶着されているため、簡易浴槽使用時には、フラップ１６Ａが簡易浴槽枠１０Ａに押しつけられ、両者間で作用する摩擦力によって簡易浴槽枠１０Ａの変形を抑制する効果を得ることもできる。
フラップ１６Ａ、１６Ｂ、１６Ｃの３枚は、標準的な径で簡易浴槽を組み立てた時に、ほぼ１２０度の角度間隔で配置されるように取り付けてある。こうすることにより、簡易浴槽枠１０Ａをフラップ１６Ａ等でバランスよく支持することができる。もっとも、フラップ１６Ａ等の枚数、取付位置は任意に設定可能であり、例えば、フラップ１６Ａの一枚のみとしてもよい。
実施例２の簡易浴槽枠１０Ａによっても、実施例１のフラップ１６と同様の効果を得ることができる。実施例２では、フラップ１６Ａ等の枚数が少なく、また簡易浴槽の使用時には、相互に重なり合うため、下端側の広がりを規制するための紐３５（図２参照）を省略することができる。
【実施例３】
【００３０】
図６は、実施例３としての簡易浴槽枠の形状を示す斜視図である。実施例１、２と異なり、支柱３０Ｂを直接、ベルト１１Ｂで連結する構造とした。支柱３０Ｂは、実施例１と同様、断面半円状の樹脂製の棒である。ただし、上端および下端からの湯水の浸入を防止するため、蓋によって密閉してある。
支柱３０Ｂは、周方向に間隔を開けて、連結されている。この間隔が、排水用のスリット１８Ｂとして機能する。支柱３０Ｂの間隔は、排水機能を十分に果たし得るスリット１８Ｂを形成するよう任意に設定可能である。間隔を小さくすれば、排水機能を確保することができない。間隔を大きくすれば、排水機能上は問題ないが、簡易浴槽用シート５０を支持し、簡易浴槽の形状を保持するだけの強度に欠けることになる。間隔は、これらの両面を考慮しながら設定すればよい。
かかる構造のため、実施例３では、実施例１、２と異なり、スリット１８Ｂは階段状ではなく、異なる高さに平行に形成されている。実施例３においても、簡易浴槽用シート５０を、徐々に押し下げることによって、スリット１８Ｂから排水を行うことができる。
図６に示した例では、簡易浴槽枠１０Ｂの下端には、フラップを取り付けていないが、実施例１または実施例２で示したフラップを取り付けるようにしてもよい。
【００３１】
図６の簡易浴槽枠において、円筒形を保持する方法としては、実施例１、２で
示したベルト４１〜４３を用いてもよい。また、簡易浴槽枠の一端に、かぎホックのように、フックを取付け、これをスリット１８Ｂに引っかける方法としてもよい。この方法では、ベルト４１〜４３を省略することができるとともに、フックをスリット１８に引っかけるだけで円筒形を手軽に形づくることができる利点がある。
このようにフックを利用する方法は、実施例１、２で適用することも可能である。この場合、実施例１、２で示したスリット１８にフックを引っかける構造としてもよいし、スリット１８とは別に、フックを引っかけるための留め金を取り付ける構造としてもよい。
【００３２】
以上で説明した各実施例の簡易浴槽枠１０、１０Ａ、１０Ｂによれば、排水用のスリット１８、１８Ｂを設けることにより、簡易浴槽からの排水を効率的に行うことができる。
また実施例１、２で示したようなフラップ１６、１６Ａ〜１６Ｃを備えることにより、簡易浴槽枠の下側から簡易浴槽用シートがはみ出すなどの使用時の支障を緩和することができる。
以上で説明した各実施例は、全ての特徴を同時に備えている必要はなく、適宜、一部を省略してもよい。また、実施例１〜３を適宜、組み合わせて適用することも可能である。
本発明は、上述の実施例に限らず、種々の変形例をとることができる。例えば、浴槽枠は、必ずしも実施例で示した可撓性の板状部材を用いたものに限らず、複数の部材を組み合わせて形成するものであってもよい。
【産業上の利用可能性】
【００３３】
本発明は、貯湯シートに貯湯する型の簡易浴槽に利用可能である。
【符号の説明】
【００３４】
１０、１０Ａ、１０Ｂ…簡易浴槽枠
１１、１１ａ、１１ｂ、１１ｃ、１１ｄ、１１ｅ、１１Ｂ…枠ユニット
１２…連結部
１３…袋部
１４…上溶着部
１５…下溶着部
１６、１６Ａ、１６Ｂ、１６Ｃ…フラップ
１７…孔
１８、１８Ｂ…スリット
１８ｃ…円形孔
１８ｓ…切り込み
１９ａ、１９ｂ、１９ｃ…ベルト通し
２０、２１…水位テープ
３０、３０Ｂ…支柱
３５…紐
３５Ｋ…結び目
４１、４２、４３…ベルト
５０…簡易浴槽用シート
【図１】
2014018242.tif 000003
【図２】
2014018242.tif 000004
【図３】
2014018242.tif 000005
【図４】
2014018242.tif 000006
【図５】
2014018242.tif 000007
【図６】
2014018242.tif 000008